【手続補正書】
【提出日】平成19年8月24日(2007.8.24)
【手続補正１】
【補正対象書類名】明細書
【補正対象項目名】特許請求の範囲
【補正方法】変更
【補正の内容】
【特許請求の範囲】
【請求項１】  液体を希釈し且つ分取するシステムであって、
大量の液体を受容すべく構成されているボトルであって、ボトルは、その開口内に配置され且つボトルからの液体の流れを制御する少なくとも１つの第１の弁を有しており、第１の弁は、閉位置へ偏倚させられている、ものと、
希釈分取組立体であって、ボトルを支持する一方、液体を希釈し且つ分取するものと、
を具備しており、
組立体は、
本体であって、受容開口及び分取開口を備えている少なくとも１つのチャンバを有しているものと、
ボトルと係合するプラットホームであって、ボトルの開口がチャンバの受容開口に対して位置を合わされて下方に向けられている状態で、ボトルを本体上に支持するものと、
マニホールド組立体と、
を備えており、
マニホールド組立体は、
第２の液体を受容する少なくとも１つの入口と、
入口と液体連通している少なくとも１つの出口であって、チャンバの受容開口に対して位置を合わされて下方に向けられているものと、
入口と液体連通している少なくとも１つの作動器であって、ボトルの開口内に配置されている第１の弁を開位置へ移動させ且つマニホールド組立体を通って流れる第２の液体によってトリガされるものと、
第２の液体の、入口から出口及び作動器の両方への流れを制御する少なくとも１つの第２の弁であって、閉位置へ偏倚させられており且つ開位置へシフト可能であるものと、
を備えており、
もって、第２の弁が開位置へシフトされると、第２の液体が、入口から出口へ且つチャンバ内へ流れると共に、作動器をトリガし、これにより、ボトル内の液体が、チャンバの分取開口を通しての希釈された液体の後続の分取のために、チャンバ内へ流れて第２の液体と混合される、
システム。
【請求項２】  ボトルが、その開口内に配置されている空気弁であって、ボトル内への空気の流れを制御し且つボトルからチャンバ内へ流れる液体を排出させるものを更に備えており、空気弁は、閉位置へ偏倚させられており、且つ
作動器が、マニホールド組立体を通って流れる第２の液体によってトリガされると、第１の弁と空気弁とをそれぞれの開位置へ同時に移動させる、
請求項１のシステム。
【請求項３】  ボトルが、その首部に少なくとも１つのキーを有していると共に、プラットホームが、ボトルにおけるキーを受容するキー溝を備えている開口を有している請求項１のシステム。
【請求項４】  希釈分取組立体が、本体に作用的に連結されているスイッチであって、第２の弁を開位置及び閉位置へ選択的にシフトするものを更に備えている請求項１のシステム。
【請求項５】  マニホールド組立体の入口が、水源との液体連通状態にある請求項１のシステム。
【請求項６】  第１の弁が、この第１の弁を通る、ボトルからチャンバ内への、液体の流量を調整する少なくとも１つの計量チップを備えている請求項１のシステム。
【請求項７】  第２の液体の、チャンバ内への流量を調整する少なくとも１つの流れ調整器が、マニホールド組立体の入口と出口との間に配置されている請求項１のシステム。
【請求項８】  作動器が、ダイヤフラムを備えていると共に、第２の液体が、ダイヤフラムに力を加えてそれを膨脹させることにより、作動器をトリガする請求項１のシステム。
【請求項９】  作動器が、ダイヤフラムに加えられた力が少なくとも２０ｐｓｉであるときに、トリガされる請求項８のシステム。
【請求項１０】  作動器が、弁アームを備えていると共に、膨脹しつつあるダイヤフラムが、ボトルの開口内に配置されている第１の弁を開位置へ移動させるべく、弁アームを押す請求項８のシステム。
【請求項１１】  液体を希釈し且つ分取するシステムと共に使用される希釈分取組立体であって、システムは、大量の液体を受容すべく構成されているボトルを備えており、ボトルは、その開口内に配置され且つボトルからの液体の流れを制御する少なくとも１つの第１の弁を有しており、第１の弁は、閉位置へ偏倚させられており、希釈分取組立体は、ボトルを支持する一方、液体を希釈し且つ分取し、希釈分取組立体は、
本体であって、受容開口及び分取開口を備えている少なくとも１つのチャンバを有しているものと、
ボトルと係合するプラットホームであって、ボトルの開口がチャンバの受容開口に対して位置を合わされて下方に向けられている状態で、ボトルを本体上に支持するものと、
マニホールド組立体と、
を具備しており、
マニホールド組立体は、
第２の液体を受容する少なくとも１つの入口と、
入口と液体連通している少なくとも１つの出口であって、チャンバの受容開口に対して位置を合わされて下方に向けられているものと、
少なくとも１つの作動器であって、ボトルの開口内に配置されている第１の弁を開位置へ移動させ且つマニホールド組立体を通って流れる第２の液体によってトリガされるものと、
第２の液体の、入口から出口及び作動器の両方への流れを制御する少なくとも１つの第２の弁であって、閉位置へ偏倚させられており且つ開位置へシフト可能であるものと、
を備えており、
もって、第２の弁が開位置へシフトされると、第２の液体が、入口から出口へ且つチャンバ内へ流れると共に、作動器をトリガし、これにより、ボトル内の液体が、チャンバの分取開口を通しての希釈された液体の後続の分取のために、チャンバ内へ流れて第２の液体と混合される、
組立体。
【請求項１２】  本体に作用的に連結されているスイッチであって、人間のオペレータが第２の弁を開位置及び閉位置へ選択的にシフトすることを可能にするものを更に備えている請求項１１の組立体。
【請求項１３】  マニホールド組立体の入口が、水源との液体連通状態にある請求項１１の組立体。
【請求項１４】  ボトルが、その開口内に配置されている空気弁であって、閉位置へ偏倚させられているものを更に備えており、且つ
作動器が、マニホールド組立体を通って流れる第２の液体によってトリガされると、第１の弁と空気弁とをそれぞれの開位置へ同時に移動させる、
請求項１１の組立体。
【請求項１５】  マニホールド組立体の入口と出口との間に配置されている少なくとも１つの流れ調整器であって、第２の液体の、チャンバ内への流量を調整するものを更に備えている請求項１１の組立体。
【請求項１６】  作動器が、ダイヤフラムと、ピストンと、プラットホームに回動可能に連結されている弁アームとを備えており、弁アームの近位端部は、ピストンに摺動可能に連結されていると共に、弁アームの遠位端部は、第１の弁を移動させるべく構成されており、且つ
第２の液体が、ダイヤフラムに力を加えてそれを膨脹させることにより、作動器をトリガし、これにより、ダイヤフラムは、第１の弁を開位置へ移動させるべく、ピストンを押して弁アームを操作する、
請求項１１の組立体。
【請求項１７】  作動器が、ダイヤフラムに加えられた力が少なくとも２０ｐｓｉであるときに、トリガされる請求項１６の組立体。
【請求項１８】  ボトルが、その首部から半径方向に突出している少なくとも１つのキーを有していると共に、プラットホームが、ボトルにおけるキーを受容するキー溝を備えている開口を有している請求項１１の組立体。
【請求項１９】  ラッチ組立体であって、ボトルがプラットホームの開口と係合させられると、ボトルの首部から突出している少なくとも１つの隆起部と咬合し且つ係合するものが、プラットホームに作用的に連結されている請求項１８の組立体。
【請求項２０】  弁アームの遠位端部が、そこから半径方向に突出している少なくとも１つのキーを有しており、且つ
ボトルが、更に、その開口内に配置されている空気弁を備えており、この場合、弁アームの遠位端部におけるキーを受容するキー溝が、空気弁と第１の弁との間に配置されており、
もって、空気弁と第１の弁との間のキー溝が、空気弁と第１の弁とをそれぞれの開位置へ同時に移動させるべく、弁アームの遠位端部におけるキーを案内する、
請求項１６の組立体。
【請求項２１】  液体を希釈し且つ分取するシステムと共に使用される重力供給希釈分取組立体であって、システムは、洗浄溶液を分取する容器を備えており、前記容器は、組立体の機構により、前記容器の回動を伴わずに、溶液を分取すべく活性化される組立体。
【請求項２２】  前記希釈液が前記組立体を通って流れているとき、前記機構が、溶液を分取すべく前記容器を作動させる請求項２１に記載の組立体。
【請求項２３】  前記希釈液が前記組立体を通って流れていないとき、前記機構は、前記容器が溶液を分取しないようにする請求項２１に記載の組立体。
【請求項２４】  前記希釈液が少なくとも２０ｐｓｉの圧力で前記組立体を通って流れているとき、前記機構が、溶液を分取すべく前記容器を作動させる請求項２２に記載の組立体。
【請求項２５】  分取りされる前記洗浄液と前記希釈液がチャンバ内で混合され、希釈された洗浄液が前記チャンバから分取りされる請求項２２に記載の組立体。
【請求項２６】  前記機構は前記容器からの溶液の分取を選択的に制御するためのスイッチを有する請求項２２に記載の組立体。
【請求項２７】  前記スイッチはオン位置とオフ位置とを有し、前記スイッチがオン位置にあるとき前記容器は溶液を分取りする請求項２６に記載の組立体。
【請求項２８】  前記組立体は、さらに、穴機構を有し、前記洗浄液が前記容器から分取りされるとき前記容器内の圧力を大気圧と等しくできる請求項２１に記載の組立体。
【請求項２９】  前記溶液が前記容器から分取りされるとき前記容器内の前記圧力が大気圧と等しくなるように、そして、前記溶液が前記容器から分取りされないとき前記容器をシールするように、前記孔機構が選択的に作動される請求項２８に記載の組立体。
【請求項３０】  前記容器は、前記容器からの前記溶液の流れを制御するために前記容器の開口内に配置される少なくとも一つの第１の弁を有し、前記第１の弁は閉位置へ偏倚させられ、前記機構は、
受用開口及び分取開口を有する少なくとも一つのチャンバを備える本体と、
マニホールド組立体と、を備え、前記マニホールド組立体は、
希釈溶液を受ける少なくとも一つの入口と
前記入口と液体連通する少なくとも一つの出口と、前記出口は前記チャンバの前記受容開口に位置を合わせて下方に向けられ、
開位置に前記容器の前記開口内に配置される前記第１の弁を動かすための少なくとも一つの作動器と、前記作動器は前記マニホールド組立体を通って流れる希釈液によりトリガーされる、請求項２１に記載の重力供給希釈分取組立体。
【請求項３１】  前記システムは前記容器のキー構成を含む請求項２１に記載の組立体。
【請求項３２】  前記容器は、計測チップを含む請求項２１に記載の組立体。